Podtech/llm-jp-corpus-v4-ja_patent huggingface dataset:
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
その必要がある患者における全身性エリテマトーデス及び／または狼瘡腎炎の予防または治療のための組成物であって、［（１Ｒ）−１−（｛［（２，５−ジクロロベンゾイル）アミノ］アセチル｝アミノ）−３−メチルブチル］ボロン酸もしくはそのクエン酸エステルである化合物またはその薬学的に許容される塩の有効量を含む、前記組成物。
【請求項２】
前記化合物は、二酢酸２，２’−｛２−［（１Ｒ）−１−（｛［（２，５−ジクロロベンゾイル）アミノ］アセチル｝アミノ）−３−メチルブチル］−５−オキソ−１，３，２−ジオキサボロラン−４，４−ジイル｝、４−（Ｒ，Ｓ）−（カルボキシメチル）−２−（（Ｒ）−１−（２−（２，５−ジクロロベンズでアミド）アセトアミド）−３−メチルブチル）−６−オキソ−１，３，２−ジオキサボリナン−４カルボン酸またはその混合物である、請求項１の組成物。
【請求項３】
前記化合物は、二酢酸２，２’−｛２−［（１Ｒ）−１−（｛［（２，５−ジクロロベンゾイル）アミノ］アセチル｝アミノ）−３−メチルブチル］−５−オキソ−１，３，２−ジオキサボロラン−４，４−ジイル｝である、請求項１の組成物。
【請求項４】
前記化合物は、４−（Ｒ，Ｓ）−（カルボキシメチル）−２−（（Ｒ）−１−（２−（２，５−ジクロロベンズアミド）アセトアミド）−３−メチルブチル）−６−オキソ−１，３，２−ジオキサボリナン−４カルボン酸である、請求項１の組成物。
【請求項５】
全身性エリテマトーデス及び／または狼瘡腎炎の予防または治療における使用のための、［（１Ｒ）−１−（｛［（２，５−ジクロロベンゾイル）アミノ］アセチル｝アミノ）−３−メチルブチル］ボロン酸もしくはそのクエン酸エステルである化合物またはその薬学的に許容される塩を含む組成物。
【請求項６】
全身性エリテマトーデス及び／または狼瘡腎炎の予防または治療のための医薬の製造のための、［（１Ｒ）−１−（｛［（２，５−ジクロロベンゾイル）アミノ］アセチル｝アミノ）−３−メチルブチル］ボロン酸もしくはそのクエン酸エステルである化合物のまたはその薬学的に許容される塩の使用。
【請求項７】
全身性エリテマトーデス及び／または狼瘡腎炎の予防または治療のための医薬であって、前記医薬は、［（１Ｒ）−１−（｛［（２，５−ジクロロベンゾイル）アミノ］アセチル｝アミノ）−３−メチルブチル］ボロン酸もしくはそのクエン酸エステルである化合物またはその薬学的に許容される塩を含む、前記医薬。
【手続補正２】
【補正対象書類名】明細書
【補正対象項目名】０００８
【補正方法】変更
【補正の内容】
【０００８】
本発明者らは、前述の問題を解決する試みにおいて鋭意研究を行い、及び［（１Ｒ）−１−（｛［（２，５−ジクロロベンゾイル）アミノ］アセチル｝アミノ）−３−メチルブチル］ボロン酸もしくはそのクエン酸エステルまたはその薬学的に許容される塩が全身性エリテマトーデス、狼瘡腎炎等の予防または治療のために有用であり、かつ有効性及び低毒性を有することを見いだした。この発見に基づいて、本発明者らは、鋭意研究を行い、及び本発明を完成した。
本発明は、例えば、以下の項目を提供する。
（項目１）
その必要がある患者における全身性エリテマトーデス及び／または狼瘡腎炎の予防または治療のための方法であって、［（１Ｒ）−１−（｛［（２，５−ジクロロベンゾイル）アミノ］アセチル｝アミノ）−３−メチルブチル］ボロン酸もしくはそのクエン酸エステルである化合物またはその薬学的に許容される塩の有効量を投与することを含む、前記方法。
（項目２）
前記化合物は、二酢酸２，２’−｛２−［（１Ｒ）−１−（｛［（２，５−ジクロロベンゾイル）アミノ］アセチル｝アミノ）−３−メチルブチル］−５−オキソ−１，３，２−ジオキサボロラン−４，４−ジイル｝、４−（Ｒ，Ｓ）−（カルボキシメチル）−２−（（Ｒ）−１−（２−（２，５−ジクロロベンズでアミド）アセトアミド）−３−メチルブチル）−６−オキソ−１，３，２−ジオキサボリナン−４カルボン酸またはその混合物である、項目１の方法。
（項目３）
前記化合物は、二酢酸２，２’−｛２−［（１Ｒ）−１−（｛［（２，５−ジクロロベンゾイル）アミノ］アセチル｝アミノ）−３−メチルブチル］−５−オキソ−１，３，２−ジオキサボロラン−４，４−ジイル｝である、項目１の方法。
（項目４）
前記化合物は、４−（Ｒ，Ｓ）−（カルボキシメチル）−２−（（Ｒ）−１−（２−（２，５−ジクロロベンズアミド）アセトアミド）−３−メチルブチル）−６−オキソ−１，３，２−ジオキサボリナン−４カルボン酸である、項目１の方法。
（項目５）
全身性エリテマトーデス及び／または狼瘡腎炎の予防または治療における使用のための、［（１Ｒ）−１−（｛［（２，５−ジクロロベンゾイル）アミノ］アセチル｝アミノ）−３−メチルブチル］ボロン酸もしくはそのクエン酸エステルである化合物またはその薬学的に許容される塩。
（項目６）
全身性エリテマトーデス及び／または狼瘡腎炎の予防または治療のための医薬の製造のための、［（１Ｒ）−１−（｛［（２，５−ジクロロベンゾイル）アミノ］アセチル｝アミノ）−３−メチルブチル］ボロン酸もしくはそのクエン酸エステルである化合物のまたはその薬学的に許容される塩の使用。
（項目７）
全身性エリテマトーデス及び／または狼瘡腎炎の予防または治療のための医薬であって、前記医薬は、［（１Ｒ）−１−（｛［（２，５−ジクロロベンゾイル）アミノ］アセチル｝アミノ）−３−メチルブチル］ボロン酸もしくはそのクエン酸エステルである化合物またはその薬学的に許容される塩を含む、前記医薬。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
ヒト臍帯血（ＵＣＢ）細胞を対象に移植する方法であって、ヒト胎盤灌流液由来の単核球の集団と組み合わせてＵＣＢ細胞を投与することを含み、前記ＵＣＢ細胞は、前記対象と非血縁である、前記方法。
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
ディーゼルエンジンからの排ガスを処理するための酸化触媒であって、
基材；
基材上に配置される第一のウォッシュコート領域であって、第一の白金族金属（ＰＧＭ）及び第一の担体材料を含む第一のウォッシュコート領域；
第一のウォッシュコート領域に隣接する第二のウォッシュコート領域であって、第二の白金族金属（ＰＧＭ）及び第二の担体材料を含む第二のウォッシュコート領域；
基材上に配置される第三のウォッシュコート領域であって、第三の白金族金属（ＰＧＭ）及び第三の担体材料を含む第三のウォッシュコート領域；
を含み：かつ、
第二のウォッシュコート領域が第三のウォッシュコート領域上に配置される、酸化触媒。
【請求項２】
第二のウォッシュコート領域が第三のウォッシュコート領域上に配置される、請求項１に記載の酸化触媒。
【請求項３】
第一のウォッシュコート領域が第一のウォッシュコート層又は第一のウォッシュコートゾーンを含み、第二のウォッシュコート領域が第二のウォッシュコート層を含み、第三のウォッシュコート領域が第三のウォッシュコート層を含む、請求項２に記載の酸化触媒。
【請求項４】
第一のウォッシュコート領域が第一のウォッシュコート層からなる、請求項３に記載の酸化触媒。
【請求項５】
第一のウォッシュコートゾーンが第一のウォッシュコート層及び第四のウォッシュコート層を含み、第四のウォッシュコート層が第一のウォッシュコート層上に配置される、請求項３に記載の酸化触媒。
【請求項６】
第三のＰＧＭの総ローディングが、第二のＰＧＭの総ローディングより大きいか、又は等しい、請求項５に記載の酸化触媒。
【請求項７】
第二のＰＧＭの総ローディングが、第三のＰＧＭの総ローディングより大きい、請求項１から５のいずれか一項に記載の酸化触媒。
【請求項８】
第一のＰＧＭの総ローディングが、第三のＰＧＭの総ローディングより大きい、請求項１から７のいずれか一項に記載の酸化触媒。
【請求項９】
第二のＰＧＭの総ローディングが、第一のＰＧＭの総ローディングより大きい、請求項１から８のいずれか一項に記載の酸化触媒。
【請求項１０】
第一のＰＧＭが白金である、請求項１から９のいずれか一項に記載の酸化触媒。
【請求項１１】
第一のＰＧＭがパラジウムである、請求項１から５のいずれか一項に記載の酸化触媒。
【請求項１２】
第一のＰＧＭが、白金並びに白金及びパラジウムの組合せからなる群から選択される、請求項１から９のいずれか一項に記載の酸化触媒。
【請求項１３】
第二のＰＧＭが、白金並びに白金及びパラジウムの組合せからなる群から選択される、請求項１から１２のいずれか一項に記載の酸化触媒。
【請求項１４】
第三のＰＧＭが、白金並びに白金及びパラジウムの組合せからなる群から選択される、請求項１から１３のいずれか一項に記載の酸化触媒。
【請求項１５】
第一の担体材料が、アルミナ、シリカ、チタニア、ジルコニア、セリア及びそれらの二つ以上の混合又は複合酸化物からなる群から選択される耐火性金属酸化物を含む、請求項１から１４のいずれか一項に記載の酸化触媒。
【請求項１６】
第二の担体材料が、アルミナ、シリカ、チタニア、ジルコニア、セリア及びそれらの二つ以上の混合又は複合酸化物からなる群から選択される耐火性金属酸化物を含む、請求項１から１５のいずれか一項に記載の酸化触媒。
【請求項１７】
第三の担体材料が、アルミナ、シリカ、チタニア、ジルコニア、セリア及びそれらの二つ以上の混合又は複合酸化物からなる群から選択される耐火性金属酸化物を含む、請求項１から１６のいずれか一項に記載の酸化触媒。
【請求項１８】
請求項１から１７のいずれか一項に記載の酸化触媒と排出制御装置とを含む排気システム。
【請求項１９】
ディーゼルエンジンと、（ａ）請求項１から１７のいずれか一項に記載の酸化触媒又は（ｂ）請求項１８に記載の排気システムのいずれかとを含む車両。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
ラップ可能な繊維スリーブであって、
対向する端部の間で長手方向軸に沿って延び、前記対向する端部の間で前記長手方向軸に沿って縦に延びる縁部を有する細長い壁を備え、
前記壁は繊維層、前記繊維層に固定されるポリマーフィルム層、および前記ポリマーフィルム層に固定される金属ホイル層を含み、
前記ポリマーフィルム層が第１の厚さを有し、前記金属ホイル層は第２の厚さを有し、前記第２の厚さは前記第１の厚さよりも大きい、ラップ可能な繊維スリーブ。
【請求項２】
前記第１の厚さは０．０００１インチから０．０００４インチの間にあり、前記第２の厚さは０．０００３５インチから０．００１０インチの間にある、請求項１に記載のラップ可能な繊維スリーブ。
【請求項３】
前記第１の厚さは０．０００２インチから０．０００３インチの間にあり、前記第２の厚さは０．０００５インチから０．０００９インチの間にある、請求項２に記載のラップ可能な繊維スリーブ。
【請求項４】
前記金属ホイル層は軟アルミニウムである、請求項１に記載のラップ可能な繊維スリーブ。
【請求項５】
前記ポリマーフィルムは防縮加工済である、請求項１に記載のラップ可能な繊維スリーブ。
【請求項６】
前記ポリマーフィルムはポリエチレンテレフタレートである、請求項５に記載のラップ可能な繊維スリーブ。
【請求項７】
前記ポリマーフィルム層および前記金属ホイル層は接着剤によりともに固着されている、請求項１に記載のラップ可能な繊維スリーブ。
【請求項８】
前記ポリマーフィルム層および前記繊維層は接着剤により固着されている、請求項７に記載のラップ可能な繊維スリーブ。
【請求項９】
前記繊維層は交絡フィラメントを有する、請求項１に記載のラップ可能な繊維スリーブ。
【請求項１０】
前記繊維層は織られている、請求項９に記載のラップ可能な繊維スリーブ。
【請求項１１】
前記繊維層は、周方向に延びる横糸で形成された複数の個別の周方向に延びる環状の帯域を有し、隣接する帯域は互いに異なる直径の横糸を有する、請求項１０に記載のラップ可能な繊維スリーブ。
【請求項１２】
前記第１の厚さは０．０００１インチから０．０００３インチの間にあり、前記第２の厚さは０．０００３５インチから０．００１０インチの間にある、請求項１０に記載のラップ可能な繊維スリーブ。
【請求項１３】
閉鎖テープをさらに含み、前記閉鎖テープは互いに固着された織られたスクリムおよび金属ホイル層を有し、前記織られたスクリムは前記閉鎖テープの前記金属ホイル層と面しない側面を有し、その上に前記壁の前記金属ホイル層との接着のための接着剤が付される、請求項１に記載のラップ可能な繊維スリーブ。 
【請求項１４】
ラップ可能な繊維スリーブ内におけるクラッキングを低減する方法であって、
繊維層を提供するステップと、
第１の厚さを有するポリマーフィルム層を提供するステップと、
第２の厚さを有する金属ホイル層を提供するステップと、
前記ポリマーフィルム層を前記繊維層へ固着するステップと、
前記金属ホイル層を前記ポリマーフィルム層へ固着するステップと、
前記金属ホイル層の前記第２の厚さを前記ポリマーフィルム層の前記第１の厚さよりも大きく提供するステップとを備えた、方法。
【請求項１５】
前記第１の厚さを０．０００１インチから０．０００４インチの間に、前記第２の厚さを０．０００３５インチから０．００１０インチの間を提供するステップをさらに含む、請求項１４に記載の方法。
【請求項１６】
前記金属ホイル層に軟アルミニウムを提供するステップをさらに含む、請求項１４に記載の方法。
【請求項１７】
前記ポリマーフィルムを防縮加工済のポリマーフィルムとして提供するステップをさらに含む、請求項１４に記載の方法。
【請求項１８】
前記繊維層を織られた層として提供するステップをさらに含む、請求項１４に記載の方法。
【請求項１９】
周方向に延びる横糸で形成される複数の個別の周方向に延びる環状帯域を有し、隣接する帯域は互いに異なる直径の横糸を有する前記繊維層を提供するステップをさらに含む、請求項１８に記載の方法。
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
少なくとも第１及び第２の所定のビンを使用して少なくとも第１及び第２のセットのバイタルサイン測定値に対してそれぞれ少なくとも第１及び第２のヒストグラムを生成するステップであって、
前記第１及び第２のセットのバイタルサイン測定値が、各々、異なる時間に取得された少なくとも２つの測定値を含み、第１及び第２のバイタルサインが、異なるバイタルサインである、ステップと、
前記第１の所定のビンの各ビンを対応する所定のスコアにマッピングすることにより前記第１のバイタルサインに対する第１のスコア分布を生成するステップと、
前記第２の所定のビンの各ビンを対応する所定のスコアにマッピングすることにより前記第２のバイタルサインに対する第２のスコア分布を生成するステップと、
前記第１及び第２のスコア分布に基づいて前記第１及び第２のバイタルサインに対する複合スコア分布を生成するステップであって、前記複合スコア分布が、患者の健康状態を示す、ステップと、
を有する、患者健康状態複合スコア分布を決定する方法。
【請求項２】
各可能なスコアに対する提案されたアクションのリストと一緒に前記複合スコア分布を視覚的に提示するステップ、
を有する、請求項１に記載の方法。
【請求項３】
前記少なくとも第１及び第２のヒストグラムを生成するステップが、取得時間に基づいてバイタルサイン測定値を重み付けするステップを含む、請求項１乃至２のいずれか一項に記載の方法。
【請求項４】
前記複合スコア分布を生成するステップが、
前記第１及び第２のスコア分布に基づいて全ての可能なスコア組み合わせを識別するステップと、
前記識別されたスコア組み合わせに基づいて各組み合わせに対する複合スコアを決定するステップと、
前記第１及び第２のスコア分布並びに前記識別されたスコア組み合わせに基づいて各組み合わせに対する確率を決定するステップと、
前記各組み合わせに対する確率に基づいて各複合スコアに対する確率を決定するステップと、
前記各複合スコアに対する確率に基づいて前記複合スコア分布を決定するステップと、
を含む、請求項１乃至２のいずれか一項に記載の方法。
【請求項５】
前記複合スコアに対する確率を決定するステップが、前記複合スコアに対する前記スコア組み合わせの個別の確率を合計するステップを含む、請求項４に記載の方法。
【請求項６】
前記複合スコア分布に基づいて代表複合スコアを決定するステップ、
を有する、請求項１乃至５のいずれか一項に記載の方法。
【請求項７】
現在の時間から所定の継続時間前に取得された測定値を除去するように前記第１及び第２のバイタルサイン測定値をフィルタリングするステップ、
を有する、請求項１乃至６のいずれか一項に記載の方法。
【請求項８】
時間にわたり前記複合スコア分布を追跡するステップ、
を有する、請求項１乃至７のいずれか一項に記載の方法。
【請求項９】
患者健康状態決定器において、
少なくとも第１及び第２の所定のビンを使用して少なくとも第１及び第２のセットのバイタルサイン測定値に対してそれぞれ少なくとも第１及び第２のヒストグラムを生成する少なくとも１つのヒストグラム生成器であって、
前記第１及び第２のセットのバイタルサイン測定値が、各々、異なる時間に取得された少なくとも２つの測定値を含み、第１及び第２のバイタルサインが、異なるバイタルサインである、当該ヒストグラム生成器と、
前記第１の所定のビンの各ビンを対応する所定のスコアにマッピングすることにより前記第のバイタルサインに対する第１のスコア分布を決定し、前記第２の所定のビンの各ビンを対応する所定のスコアにマッピングすることにより前記第２のバイタルサインに対する第２のスコア分布を決定する個別スコア分布決定器と、
前記第１及び第２のスコア分布に基づいて前記第１及び第２のバイタルサインに対する複合スコア分布を決定する複合スコア分布決定器であって、前記複合スコア分布が、患者の健康状態を示す、当該複合スコア分布決定器と、
を有する、患者健康状態決定器。
【請求項１０】
各可能なスコアに対する提案されたアクションのリストと一緒に前記複合スコア分布を視覚的に提示する少なくとも１つの出力装置、
を有する、請求項９に記載の患者健康状態決定器。
【請求項１１】
前記複合スコア分布決定器が、
前記第１及び第２のスコア分布に基づいて全ての可能なスコア組み合わせを識別する組み合わせ決定器と、
前記識別されたスコア組み合わせに基づいて各組み合わせに対する複合スコアを決定する組み合わせ複合スコア分布決定器と、
前記第１及び第２のスコア分布並びに前記識別されたスコア組み合わせに基づいて各組み合わせに対する確率を決定する組み合わせ確率決定器と、
前記各組み合わせに対する確率に基づいて各複合スコアに対する確率を決定する複合スコア確率決定器と、
前記各複合スコアに対する確率に基づいて前記複合スコア分布を決定する複合スコアヒストグラム決定器と、
を有する、請求項９又は１０に記載の患者健康状態決定器。
【請求項１２】
前記複合スコア分布決定器が、前記複合スコア分布を計算するために前記第１及び第２のスコア分布を合計する、請求項９乃至１１のいずれか一項に記載の患者健康状態決定器。
【請求項１３】
前記複合スコア分布に基づいて単一値代表複合スコアを決定する代表複合スコア決定器、
を有する、請求項９乃至１２のいずれか一項に記載の患者健康状態決定器。
【請求項１４】
現在の時間から所定の継続時間前に取得された測定値を除去するように前記第１及び第２のセットのバイタルサイン測定値をフィルタリングするフィルタ、
時間にわたり前記複合スコア分布を追跡するトラッカ、及び
少なくとも２つの異なる時間に決定された少なくとも２つの複合スコア分布を比較する評価器、
の少なくとも１つを有する、請求項９乃至１３のいずれか一項に記載の患者健康状態決定器。
【請求項１５】
コンピュータ可読命令でエンコードされたコンピュータ可読記憶媒体において、前記コンピュータ可読命令が、プロセッサにより実行される場合、前記プロセッサに、
少なくとも第１及び第２の所定のビンを使用して少なくとも第１及び第２のセットのバイタルサイン測定値に対してそれぞれ少なくとも第１及び第２のヒストグラムを生成させ、
前記第１及び第２のセットのバイタルサイン測定値が、各々、異なる時間に取得された少なくとも２つの測定値を含み、第１及び第２のバイタルサインが、異なるバイタルサインであり、
前記第１の所定のビンの各ビンを対応する所定のスコアにマッピングすることにより前記第１のバイタルサインに対する第１のスコア分布を生成させ、
前記第２の所定のビンの各ビンを対応する所定のスコアにマッピングすることにより前記第２のバイタルサインに対する第２のスコア分布を生成させ、
前記第１及び第２のスコア分布に基づいて前記第１及び第２のバイタルサインに対する複合スコア分布を生成させ、前記複合スコア分布が、患者の健康状態を示す、
コンピュータ可読記憶媒体。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
ワイヤ誘導挿管処置に使用するための気管内チューブであって、
ａ）主要内腔及び側壁、
ｂ）呼吸回路への取り付けに適切な、使用中に患者の口または鼻から突出する近位端部、
ｃ）患者の鼻及び／または口への挿入に適切な遠位端部であって、患者の咽頭入口を通過させるのに適切な先端を有する前記遠位端部、及び
ｄ）前記近位端部に隣接した近位開口部と、前記先端に隣接した遠位開口部との間に延在するガイド収容手段、
を備え、
前記ガイド収容手段が、前記主要内腔の前記側壁に隣接し、挿管処置中に順行性または逆行性ガイドを滑らせて受けるのに適切であるため、前記患者内へ前記チューブが前記ガイドに従うことが可能な、
気管内チューブ。
【請求項２】
前記ガイド収容手段が、前記チューブの長軸に沿って、前記近位端部から前記先端まで延在する、請求項１に記載の気管内チューブ。
【請求項３】
前記ガイド収容手段が、管状の導管または通路からなる、請求項１または請求項２に記載の気管内チューブ。
【請求項４】
前記導管または通路が、前記チューブの前記側壁に統合されている、請求項３に記載の気管内チューブ。
【請求項５】
前記遠位端部が、前記先端を形成するために、傾斜されている、あるいは斜形にされている、請求項１〜４のいずれか一つに記載の気管内チューブ。
【請求項６】
前記遠位開口部が、前記先端の終端に位置する、請求項１〜５のいずれか一つに記載の気管内チューブ。
【請求項７】
前記導管または通路が、平滑で連続な内腔を有する、請求項３〜６のいずれか一つに記載の気管内チューブ。
【請求項８】
所定のカーブが存在しない、請求項１〜７のいずれか一つに記載の気管内チューブ。
【請求項９】
非補強シリコーンで比較的により変形可能な前記先端を除き、シリコーン補強材料からなる請求項１〜８のいずれか一つに記載の気管内チューブ。
【請求項１０】
ワイヤ誘導気管内挿管のためのキットであって、
ｉ）気管内チューブと、
ｉｉ）適切なワイヤ・ガイドと、
を備えたキットであって、
前記気管内チューブが、
ａ）主要内腔及び側壁、
ｂ）呼吸回路への取り付けに適切な、使用中に患者の口または鼻から突出する近位端部、
ｃ）患者の鼻及び／または口への挿入のための遠位端部であって、患者の咽頭入口を通過させるのに適切な先端を有する前記遠位端部、及び
ｄ）前記近位端部に隣接した近位開口部と、前記先端に隣接した遠位開口部との間に延在するガイド収容手段、
を備え、
前記ガイド収容手段が、前記主要内腔の前記側壁に隣接し、挿管処置中に順行性または逆行性ガイドを滑らせて受けるのに適切であるため、前記患者内へ前記チューブが前記ガイドに従うことが可能である、
キット。
【請求項１１】
ワイヤ誘導挿管処置に使用するための気管内チューブの形成方法であって、前記方法が、適切な材料の気管内チューブを形成することを備え、
前記チューブが、
ａ）主要内腔及び側壁、
ｂ）呼吸回路への取り付けに適切な近位端部、
ｃ）患者の鼻及び／または口への挿入に適切な遠位端部であって、患者の咽頭入口を通過するのに適切な先端を有する前記遠位端部、及び
ｄ）前記近位端部に隣接した近位開口部と、前記先端に隣接した遠位開口部との間に延在するガイド収容手段、
を有し、
前記ガイド収容手段が、前記主要内腔の前記側壁に隣接し、挿管処置中に順行性または逆行性ガイドを滑らせて受けるのに適切であるため、前記患者内へ前記チューブが前記ガイドに従うことが可能な、
方法。
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
エチレンの共重合単位と、３〜１０個の炭素原子を有する第一α，β−不飽和カルボン酸の共重合単位を約１０〜約３０ｗｔ％と、３〜１０個の炭素原子を有する第二α，β−不飽和カルボン酸の誘導体の共重合単位を約５〜約１５ｗｔ％とを含むエチレン酸コポリマーであって、前記共重合単位の重量百分率は、前記エチレンコポリマーの総重量を基準とし、前記共重合単位の前記重量百分率の合計が、１００ｗｔ％であるエチレン酸コポリマー。
【請求項２】
請求項１に記載のエチレン酸コポリマーの中和生成物であるイオノマーであって、前記第一α，β−不飽和カルボン酸のカルボン酸基の少なくとも一部が、中和されて、対イオンを有するカルボキシレート基を形成し、好ましくは、前記エチレンコポリマーに存在する前記カルボン酸基の約５％〜約９０％が中和されているイオノマー。
【請求項３】
請求項１に記載のエチレン酸コポリマーまたは請求項２に記載のイオノマーと、ヒドロキシル含有架橋剤とを含むポリマー組成物。
【請求項４】
請求項３に記載のポリマー組成物を架橋した生成物。
【請求項５】
請求項１に記載のエチレン酸コポリマー、請求項２に記載のイオノマー、または請求項３もしくは４に記載のポリマー組成物を含むシートまたはフィルム。
【請求項６】
請求項１に記載のエチレン酸コポリマー、請求項２に記載のイオノマー、または請求項３もしくは４に記載のポリマー組成物を含む射出成形品。
【請求項７】
請求項１に記載のエチレン酸コポリマー、請求項２に記載のイオノマー、または請求項３もしくは４に記載のポリマー組成物を含むゴルフボール。
【請求項８】
請求項５に記載のシートまたはフィルムを含む包装材料。
【手続補正２】
【補正対象書類名】明細書
【補正対象項目名】００７２
【補正方法】変更
【補正の内容】
【００７２】
本発明の特定の好ましい実施形態が上述され、具体的に例示されているが、本発明は、このような実施形態に限定されることを意図しない。以下の特許請求の範囲に記載される、本発明の範囲および精神から逸脱することなく、様々な修正が、なされてもよい。
以下、本明細書に記載の主な発明について列記する。
（１）  エチレンの共重合単位と、３〜１０個の炭素原子を有する第一α，β−不飽和カルボン酸の共重合単位を約１０〜約３０ｗｔ％と、３〜１０個の炭素原子を有する第二α，β−不飽和カルボン酸の誘導体の共重合単位を約５〜約１５ｗｔ％とを含むエチレン酸コポリマーであって、前記共重合単位の重量百分率は、前記エチレンコポリマーの総重量を基準とし、前記共重合単位の前記重量百分率の合計が、１００ｗｔ％であるエチレン酸コポリマー。
（２）  （１）に記載のエチレン酸コポリマーの中和生成物であるイオノマーであって、前記第一α，β−不飽和カルボン酸のカルボン酸基の少なくとも一部が、中和されて、対イオンを有するカルボキシレート基を形成し、好ましくは、前記エチレンコポリマーに存在する前記カルボン酸基の約５％〜約９０％が中和されているイオノマー。
（３）  前記エチレンコポリマーが、前記第一α，β−エチレン性不飽和カルボン酸の共重合単位を約２０ｗｔ％〜約２４ｗｔ％含む請求項１に記載のエチレン酸コポリマーまたは（２）に記載のイオノマー。
（３）  前記エチレンコポリマーが、前記第二α，β−エチレン性不飽和カルボン酸の前記誘導体の共重合単位を約８ｗｔ％〜約１２ｗｔ％含む（１）に記載のエチレン酸コポリマーまたは（２）もしくは（３）に記載のイオノマー。
（４）  前記共重合酸の前記重量百分率と前記共重合酸の誘導体の前記重量百分率の合計が、約２０〜約４５ｗｔ％である（１）に記載のエチレン酸コポリマーまたは（２）〜（４）のいずれか１項に記載のイオノマー。
（５）  前記α，β−エチレン性不飽和カルボン酸が、アクリル酸、メタクリル酸、またはアクリル酸とメタクリル酸の組み合わせである（１）に記載のエチレン酸コポリマーまたは（２）〜（５）のいずれか１項に記載のイオノマー。
（７）  （１）に記載のエチレン酸コポリマーまたは（２）〜（６）のいずれか１項に記載のイオノマーと、ヒドロキシル含有架橋剤とを含むポリマー組成物。
（８）  前記ヒドロキシル含有架橋剤が、ジオールである（７）に記載のポリマー組成物。
（９）  Ｎ−（２−アミノエチル−３−アミノプロピル）トリメトキシシラン、３−グリシドキシプロピルトリメトキシシラン、およびそれらの組み合わせからなる群から選択されるアジュバントを約０．０２５〜２．０ｗｔ％の量でさらに含む（７）または（８）に記載のポリマー組成物。
（１０）  （７）、（８）、および（９）のいずれか１項に記載のポリマー組成物を架橋した生成物。
（１１）  （１）に記載のエチレン酸コポリマー、（２）〜（６）のいずれか１項に記載のイオノマー、または（７）〜（１０）のいずれか１項に記載のポリマー組成物を含むシートまたはフィルム。
（１２）  インフレーションフィルムである（１１）に記載のフィルム。
（１３）  （１）に記載のエチレン酸コポリマー、（２）〜（６）のいずれか１項に記載のイオノマー、または（７）〜（１０）のいずれか１項に記載のポリマー組成物を含む射出成形品。
（１４）  （１）に記載のエチレン酸コポリマー、（２）〜（６）のいずれか１項に記載のイオノマー、または（７）〜（１０）のいずれか１項に記載のポリマー組成物を含むゴルフボール。
（１５）  （１１）または（１２）に記載のシートまたはフィルムを含む包装材料。
【手続補正書】
【提出日】平成29年8月16日(2017.8.16)
【手続補正１】
【補正対象書類名】明細書
【補正対象項目名】００６５
【補正方法】変更
【補正の内容】
【００６５】
（第６実施形態）
本実施形態においては、例示的に、図１６に示すように、光透過性導電体の他の製造方法を示す。本実施形態の光透過性導電体６００の製造方法は、一つの導電性物質のコーティング上に導電層６２０と端子層６３０とを共に形成するものである。このため、まず、基板６１０上に導電性物質をコーティングする。この時、導電性物質は導電層６２０が形成される領域と端子層６３０が形成される領域の両方を含むように形成される。次に、感光性物質をコーティングする前に、導電性物質上に端子層６３０をパターニングする。端子層６３０は、導電性物質上の導電層６２０が形成される部分以外の部分に形成される。端子層６３０は、フォトリソグラフィによって形成されてもよいが、これに限定されない。端子層６３０は、端子部６３１を含むように形成され、さらに導電層６２０との電気的流れが円滑に行われるように接続部６３２を含むように形成することが望ましい。端子層６３０が形成された後には、端子層６３０がパターニングされた部分が含まれるように導電性物質上に感光性物質をコーティングする。以後、端子層６３０に対応する部分が除外されるように選択された。
【手続補正２】
【補正対象書類名】明細書
【補正対象項目名】００６６
【補正方法】削除
【補正の内容】
【手続補正３】
【補正対象書類名】明細書
【補正対象項目名】００６７
【補正方法】削除
【補正の内容】
【手続補正４】
【補正対象書類名】明細書
【補正対象項目名】００６８
【補正方法】削除
【補正の内容】
【手続補正５】
【補正対象書類名】明細書
【補正対象項目名】００６９
【補正方法】削除
【補正の内容】
【手続補正６】
【補正対象書類名】明細書
【補正対象項目名】００７０
【補正方法】削除
【補正の内容】
【手続補正７】
【補正対象書類名】明細書
【補正対象項目名】００７１
【補正方法】削除
【補正の内容】
【手続補正８】
【補正対象書類名】明細書
【補正対象項目名】００７２
【補正方法】削除
【補正の内容】
【手続補正９】
【補正対象書類名】明細書
【補正対象項目名】００７３
【補正方法】削除
【補正の内容】
【手続補正１０】
【補正対象書類名】明細書
【補正対象項目名】００７４
【補正方法】削除
【補正の内容】
【手続補正１１】
【補正対象書類名】明細書
【補正対象項目名】００７５
【補正方法】削除
【補正の内容】
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
縦方向に概して延長する中空繊維であって、前記中空繊維が前記縦方向の前記中空繊維の少なくとも一部分に沿って延長する中空空洞を備え、ポリオレフィンマトリクスを含む連続相および個別領域内の形態で前記連続相内に分散された高分子ナノ包含添加剤を含有する熱可塑性組成物から形成される内壁によって前記中空空洞が画定され、複数のナノ細孔を含む前記組成物中に多孔質ネットワークが画定され、前記高分子ナノ包含添加剤が、前記ポリオレフィンマトリクスポリマーの重量に基づいて前記組成物の０．０５重量％〜２０重量％を構成し、複数のナノ細孔を含む前記組成物中に多孔質ネットワークが画定され、
前記内壁が０．５〜５０マイクロメートルの平均の壁厚を有する、中空繊維。
【請求項２】
前記内壁が１〜３０マイクロメートルの平均の壁厚を持つ、請求項１に記載の中空繊維。
【請求項３】
前記内壁が前記内壁の前記厚さよりも大きな内径を持つ、請求項１に記載の中空繊維。
【請求項４】
前記内壁の前記平均内径が１〜１００マイクロメートルである、請求項３に記載の中空繊維。
【請求項５】
前記内壁が２〜２００マイクロメートルの平均外径を持つ、請求項１に記載の中空繊維。
【請求項６】
前記ナノ細孔が、８００ナノメートル以下の平均断面寸法を持つ、請求項１に記載の中空繊維。
【請求項７】
前記ポリオレフィンマトリクスポリマーが、ＡＳＴＭ  Ｄ１２３８に従って２１６０グラムの負荷および２３０℃で測定された時、０．５〜８０グラム／１０分のメルトフローレートを持つ、請求項１に記載の中空繊維。
【請求項８】
前記ポリオレフィンマトリクスポリマーが実質的にイソタクチックポリプロピレンホモポリマーまたは少なくとも９０重量％のプロピレンを含む共重合体である、請求項１に記載の中空繊維。
【請求項９】
前記連続相が前記熱可塑性組成物の６０重量％〜９９重量％を占める、請求項１に記載の中空繊維。
【請求項１０】
前記高分子ナノ包含添加剤がポリエポキシドである、請求項１に記載の中空繊維。
【請求項１１】
前記高分子ナノ包含添加剤が、ＡＳＴＭ  Ｄ１２３８に従って２１６０グラムの負荷および溶融温度より少なくとも４０℃高い温度で測定された場合、０．１〜１００グラム／１０分のメルトフローレートを持つ、請求項１に記載の中空繊維。
【請求項１２】
前記組成物が、前記連続相内に個別領域の形態で分散されたマイクロ包含添加剤をさらに含む、請求項１に記載の中空繊維。
【請求項１３】
前記マイクロ包含添加剤の前記ポリマーがポリ乳酸である、請求項１２に記載の中空繊維。
【請求項１４】
前記マイクロ包含添加剤の前記ポリマーが０℃以上のガラス転移温度を持つ、請求項１２に記載の中空繊維。
【請求項１５】
前記熱可塑性組成物が相間修飾剤をさらに含む、請求項１に記載の中空繊維。
【請求項１６】
前記多孔質ネットワークがマイクロ細孔をさらに含む、請求項１に記載の中空繊維。
【請求項１７】
前記繊維が、前記中空繊維の前記内壁を共に形成するコアを取り囲むシースを持つ二成分繊維であり、前記コアが熱可塑性組成物から形成される、請求項１に記載の中空繊維。
【請求項１８】
請求項１〜１７のいずれか一項に記載の中空繊維を含む不織布ウェブ。
【請求項１９】
請求項１８に記載の前記不織布ウェブを含む吸収性物品であって、前記吸収性物品が実質的に液体不透過性の層、液体透過性の層、および吸収性コアを含み、前記実質的に液体不透過性の層、前記液体透過性の層、または両方が前記不織布ウェブを含む吸収性物品。
【請求項２０】
中空繊維を形成するための方法であって、
前記中空繊維は、前記中空繊維の縦方向の少なくとも一部分に沿って延長する中空空洞を有し、前記中空空洞は、０．５〜５０マイクロメートルの平均の壁厚を有する内壁によって画定され、
前記方法が、
ポリオレフィンマトリクスポリマーを含む連続相および個別領域の形態で前記連続相中に分散されたナノ包含添加剤を含む、熱可塑性組成物を形成する工程と、
キャピラリーを通して前記組成物を押出して前記繊維を形成する工程であって、一つ
以上の形成スロットが前記キャピラリー内に位置付けられている工程と、
前記マトリクスポリマーの前記溶融温度より低い温度で前記繊維を延伸し、それによって複数のナノ細孔を含む多孔質ネットワークを形成する工程とを含む方法。
【請求項２１】
前記熱可塑性組成物が１．１〜２５の延伸比で伸張される、請求項２０に記載の方法。
【請求項２２】
前記繊維が−５０℃〜１５０℃の温度で延伸される、請求項２０に記載の方法。
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
試料を保持するための反応チャンバと、
励起光を前記反応チャンバを介して光学基準に向けるための励起光源であって、前記光学基準が、前記反応チャンバを通過した前記励起光を吸収し、前記励起光の前記吸収に応答して放出光を放出し、前記放出光が前記反応チャンバに導かる、励起光源と、
前記光学基準からの光信号を検出するための光検出器であり、前記光信号が、前記反応チャンバを通過し当該光検出器に向かう前記放出光を介して運ばれる、光検出器と、
を含むアッセイシステム。
【請求項２】
前記反応チャンバが、前記光学基準から発生され前記光検出器によって検出される前記光信号を抑制するか又は増強するように配置される、請求項１に記載のアッセイシステム。
【請求項３】
前記反応チャンバが、比色試薬がない状態で前記試料を保持する、請求項１に記載のアッセイシステム。
【請求項４】
前記励起光源が、２０ｎｍから５０００ｎｍまでにわたる特定の波長を備える、請求項１に記載のアッセイシステム。
【請求項５】
前記光学基準が、プラスチック、ガラス、又はシリコン材料基板に埋め込まれた光学剤を含む、請求項１に記載のアッセイシステム。
【請求項６】
前記反応チャンバが、ルーメンと、平坦な第１の壁と、前記平坦な第１の壁の反対側にあり、前記平坦な第１の壁に平行である平坦な第２の壁とを含む、請求項１に記載のアッセイシステム。
【請求項７】
前記平坦な第１の壁及び前記平坦な第２の壁が、各々、約２０ｎｍから約５０００ｎｍまでの波長範囲の励起光に対して光学的に透明である、請求項６に記載のアッセイシステム。
【請求項８】
前記励起光が、約２０ｎｍから約２０００ｎｍまでの波長範囲にある、請求項７に記載のアッセイシステム。
【請求項９】
前記反応チャンバが、前記光学基準と前記光受信機及び前記励起光源との間に配置される、請求項１に記載のアッセイシステム。
【請求項１０】
前記光受信機と前記励起光源とが一体化される、請求項１に記載のアッセイシステム。
【請求項１１】
前記光受信機が、前記光学基準から放出された放出光を検出するための光検出器を含む、請求項１に記載のアッセイシステム。
【請求項１２】
前記反応チャンバの前記平坦な第１の壁及び第２の平坦な壁の各々が、ルーメン表面を含み、前記第１の平坦なルーメンの表面が、１つ又は複数の反応物で被覆される、請求項６に記載のアッセイシステム。
【請求項１３】
前記反応チャンバが、試料入口ポートと反応流体出口ポートとをさらに含む、請求項１に記載のアッセイシステム。
【請求項１４】
前記試料入口ポートが、ｖ形状にされる、請求項１３に記載のアッセイチャンバ。
【請求項１５】
（ｉ）光信号を発生するための光学基準を含む光学構成システムを用意するステップと、
（ｉｉ）流体を保持するための反応チャンバを用意するステップと、
（ｉｉｉ）光源からの励起光を、前記反応チャンバ中の前記流体を通して、前記励起光を吸収し、放出光を送る前記光学基準まで送るステップと、
（ｉｖ）ステップ（ｉｉｉ）における前記放出光を、前記反応チャンバ中の前記流体を通して送るステップと、
（ｖ）前記光学基準からの光信号を検出するための光検出器を用意するステップであり、前記光信号が、前記反応チャンバ中の前記流体を通過した前記放出光を介して運ばれる、用意するステップと、
（ｖｉ）測定された前記光信号を前記システムにおいて凝固時間を決定するための所定の標準と比較するステップと、
を含む凝固を検出する方法。
【請求項１６】
前記光受信機が、前記光学基準からの前記放出光、又は前記反応チャンバを通過した前記二次光を検出するための光検出器を含む請求項１に記載のアッセイシステム。
【請求項１７】
前記試料が、血漿及び血液からなる群から選択される、請求項１に記載のアッセイシステム。
【請求項１８】
前記光学基準が、光度計測、蛍光、ラマン分光時間分解蛍光、及び表面増感ラマン分光からなる群から選択された光学技術を用いて実現され得る、請求項１に記載のアッセイシステム。
【請求項１９】
前記光学剤が、前記光学基準の１つ又は複数の壁に埋め込まれる、請求項５に記載のアッセイシステム。
【請求項２０】
前記光学剤が、基板の表面に化学的に又は物理的に被覆される、請求項５に記載のアッセイシステム。
【請求項２１】
前記光学基準が、蛍光ドープガラス、蛍光ステンドガラス、蛍光着色ガラス、及びラマン効果を示す蛍光材料からなる群から選択される、請求項１に記載のアッセイシステム。
【請求項２２】
試料を保持するための反応チャンバと、
光学基準を介して前記反応チャンバに励起光を導くための励起光源であり、前記光学基準が、前記反応チャンバを通過した前記励起光を吸収し、前記励起光の吸収に応じて放出光を放出する、励起光源と、
前記光学基準からの光信号を検出するための光検出器であり、前記光信号が、前記放出光を介して運ばれ、前記光信号の増加が凝固を示す、光検出器と、
を含むアッセイシステム。
【請求項２３】
前記光学基準が、前記反応チャンバと前記光受信機及び前記励起光源との間に配置される、請求項２２に記載のアッセイシステム。
【請求項２４】
試料を保持するための反応チャンバと、
励起光を導くための励起光源と、
光学基準であり、前記光学基準を通過した前記励起光を吸収し、前記反応チャンバの方に導かれ前記反応チャンバを通過する二次光を放出するための光学基準と、
前記光学基準からの前記二次光を検出するための光検出器であり、前記信号が、前記反応チャンバを通過する前記二次光を介して運ばれる、光検出器と、
を含むアッセイシステム。
【手続補正書】
【提出日】平成29年1月4日(2017.1.4)
【手続補正１】
【補正対象書類名】特許請求の範囲
【補正対象項目名】請求項５
【補正方法】変更
【補正の内容】
【請求項５】
前記芳香族ジアミン化合物は、オキシジアニリン（ＯＤＡ）、パラフェニレンジアミン（ｐＰＤＡ）、ｍ−フェニレンジアミン（ｍＰＤＡ）、ｐ−メチレンジアニリン（ｐＭＤＡ）及びメタメチレンジアニリン（ｍＭＤＡ）よりなる群から選択された１種以上の化合物、またはこれらの混合物を含むことを特徴とする、請求項４に記載のポリアミック酸溶液。
【手続補正２】
【補正対象書類名】明細書
【補正対象項目名】００１３
【補正方法】変更
【補正の内容】
【００１３】
前記一実施形態によるポリアミック酸溶液において、前記芳香族ジアミン化合物は、オキシジアニリン（ＯＤＡ）、パラフェニレンジアミン（ｐＰＤＡ）、ｍ−フェニレンジアミン（ｍＰＤＡ）、ｐ−メチレンジアニリン（ｐＭＤＡ）及びメタメチレンジアニリン（ｍＭＤＡ）よりなる群から選択された１種以上の化合物またはこれらの混合物を含むことができる。
【手続補正３】
【補正対象書類名】明細書
【補正対象項目名】００２９
【補正方法】変更
【補正の内容】
【００２９】
本発明の好適な態様によれば、前記ジアミンは、カルボン酸官能基を有するジアミン化合物を除いた残りの９０乃至９９ｍｏｌ％が芳香族ジアミン化合物でありうる。前記芳香族ジアミン化合物としては、オキシジアニリン（ＯＤＡ）、パラフェニレンジアミン（ｐＰＤＡ）、ｍ−フェニレンジアミン（ｍＰＤＡ）、ｐ−メチレンジアニリン（ｐＭＤＡ）及びメタメチレンジアニリン（ｍＭＤＡ）よりなる群から選択された１種以上の化合物、またはこれらの混合物を使用することが好ましい。
【手続補正４】
【補正対象書類名】明細書
【補正対象項目名】００３３
【補正方法】変更
【補正の内容】
【００３３】
また、本発明の好適な態様によれば、ポリアミック酸溶液は、有機溶媒としてｍ−クレゾール、Ｎ−メチル−２−ピロリドン（ＮＭＰ）、ジメチルホルムアミド（ＤＭＦ）、ジメチルアセトアミド（ＤＭＡｃ）、ジメチルスルホキシド（ＤＭＳＯ）、アセトン、エチルアセテート（酢酸エチル）の中から選択された一つ以上の極性溶媒を含むことができる。ここで、溶媒に残存する水分の含有量は、１０００ｐｐｍ以下であることが、物性の低下を防ぐ観点から好ましく、水分の含有量は１００ｐｐｍ以下であることが、より好ましい。なお、前記溶媒の含有量は、フィルム加工に適した粘度を得るために、全ポリアミック酸溶液に対して、好ましくは５０〜９５重量％、さらに好ましくは７０〜９０重量％である。
【手続補正書】
【提出日】平成29年10月25日(2017.10.25)
【手続補正１】
【補正対象書類名】明細書
【補正対象項目名】０１２６
【補正方法】変更
【補正の内容】
【０１２６】
本発明において有用な第４族元素、第５族元素および第１４族元素のルイス酸は、一般式Ｍ（ＲＯ）nＲ’mＸ4-(m+n)［式中、Ｍは、第４族金属、第５族金属または第１４族金属であり、ＲＯは、Ｃ1〜Ｃ30−アルコキシ、Ｃ7〜Ｃ30−アリールオキシ、Ｃ7〜Ｃ30−アリールアルコキシ、Ｃ7〜Ｃ30−アルキルアリールオキシ基からなる群から選択される一価のヒドロカルボキシ基であり、Ｒ’は、前記定義のＣ1〜Ｃ12−アルキル、Ｃ6〜Ｃ10−アリール、Ｃ7〜Ｃ14−アリールアルキルおよびＣ7〜Ｃ14−アルキルアリール基からなる群から選択される一価の炭化水素基であり、Ｒは、前記定義のＣ1〜Ｃ12−アルキル、Ｃ6〜Ｃ10−アリール、Ｃ7〜Ｃ14−アリールアルキルおよびＣ7〜Ｃ14−アルキルアリール基からなる群から選択される一価の炭化水素基であり、ｎは、０から４までの整数であり、ｍは、０から４までの整数であり、ｎとｍの合計は４以下であり、Ｘは、フッ素、塩素、臭素およびヨウ素からなる群から選択され、好ましくは塩素であり、Ｘは、アジド、イソシアネート、チオシアネート、イソチオシアネートまたはシアニドであってもよい］を有してもよい。
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
テキスタイル材料から成り、テキスタイル回路またはその一部の支持部として機能する、少なくとも１つのテキスタイル基板を備え、前記テキスタイル基板は、さらに、テキスタイル導電性層およびテキスタイル分離層の少なくとも１部分を含み、
テキスタイル導電性層の少なくとも１部分において、テキスタイル回路またはその一部の配線を規定し、テキスタイルマザーボードを形成するテキスタイル回路のための伝達プラットフォームとして機能する、少なくとも１つの導電性ルーティングを更に備え、
前記テキスタイル基板に組み込まれ、前記導電性ルーティングに取り付けられた、少なくとも１つのテキスタイル要素を更に備え、前記テキスタイル要素は、前記テキスタイルマザーボードの周辺要素を形成し、または別のテキスタイルマザーボードに使用可能な周辺要素もしくは周辺要素の一部を形成し、
前記導電性ルーティングに取り付けられ、少なくともテキスタイルを適合する手段から成り、少なくとも１つのテキスタイル、電気または光の周辺要素への接続および切断を可能にし、少なくとも１つの、テクスタイルを適合する補完手段を示し、前記テキスタイルマザーボードで使用可能な周辺要素の交換を可能にする、少なくとも１つの相互接続端子を更に備え、
前記少なくとも１つの導電性ルーティングは、テキスタイル垂直相互接続アクセス（ＶＩＡ）の手段によって、少なくとも１つのテキスタイル基板における導電層の別の部分に配置された別の導電性ルーティングに取り付けられ、
監視、通知および、衣服を装着したユーザのパラメータを制御するよう構成され、前記テキスタイルマザーボードを組み込んでいることを特徴とするテキスタイルマザーボード。
【請求項２】
前記テキスタイルマザーボードは、少なくとも２つの前記基板と、それぞれの前記基板において少なくとも１つの前記導電性ルーティングとで形成されており、前記導電性ルーティングの間の接続は前記テキスタイル垂直相互接続アクセス（ＶＩＡ）の手段によって達成されることを特徴とする請求項１に記載のテキスタイルマザーボード。
【請求項３】
前記テキスタイル垂直相互接続アクセス（ＶＩＡ）は、タグＶＩＡ、シーケンシャルＶＩＡ、スルーＶＩＡ、写真によって定義されたＶＩＡ、深さ制御されたＶＩＡ、埋め込みＶＩＡ、それらに似通った構成のＶＩＡ、またはそれらを組み合わせたＶＩＡから選択され得ることを特徴とする請求項１または２に記載のテキスタイルマザーボード。
【請求項４】
前記基板または導電層の部分は、少なくとも１つの分離層によって分離されていることを特徴とする請求項１〜３のいずれか１項に記載のテキスタイルマザーボード。
【請求項５】
前記分離層は、基板層と同様に機能することができることを特徴とする請求項４に記載のテキスタイルマザーボード。
【請求項６】
少なくとも１つのテキスタイル、電気または光周辺要素のうちの１つは、中央処理ユニット（ＣＰＵ）を含むことを特徴とする請求項１に記載のテキスタイルマザーボード。
【請求項７】
前記中央処理ユニット（ＣＰＵ）は、マイクロコントローラ、マイクロプロセッサまたは同等の要素を備えることを特徴とする請求項６に記載のテキスタイルマザーボード。
【請求項８】
少なくとも１つの導電性ルーティングは、電気導体テキスタイル、光ファイバを組み込んだテキスタイル構造の形態または導波路を組み込んだテキスタイル構造の形態で構成されることを特徴とする請求項１〜７のいずれか１項に記載のテキスタイルマザーボード。
【請求項９】
前記電気導体テキスタイルは、前記基板層を形成する前記テキスタイル内部にある織り交ぜたルーティングにより構成されることを特徴とする請求項８に記載のテキスタイルマザーボード。
【請求項１０】
前記電気導体テキスタイルは、複数の層で構成され、導電性ルーティングを画定し、分離層によって分離された単一の平面内で隣接して配置され、または分離層と交互に重ねて配置されることを特徴とする請求項８に記載のテキスタイルマザーボード。
【請求項１１】
前記相互接続端子は、種々の異なる変数の監視、情報伝達、信号化または同様の要素の操作を制御するために、前記中央処理ユニット、前記周辺要素を交換可能に構成されることを特徴とする請求項１〜１０のいずれか１項に記載のテキスタイルマザーボード。
【請求項１２】
前記相互接続端子は、スナップ、ホック、留め穴、ホックおよびループシステムまたは前記導電性ルーティングに取り付けられた同様の要素で構成されていることを特徴とする請求項１１に記載のテキスタイルマザーボード。
【請求項１３】
テキスタイル材料から成り、テキスタイル回路またはその一部の支持部として機能する、少なくとも１つのテキスタイル基板を備え、前記テキスタイル基板は、さらに、テキスタイル導電性層およびテキスタイル分離層の少なくとも１部分を含み、
テキスタイル導電性層の少なくとも１部分において、テキスタイル回路またはその一部の配線を規定し、テキスタイル周辺要素を形成するテキスタイル回路のための伝達プラットフォームとして機能する、少なくとも１つの導電性ルーティングを更に備え、
前記テキスタイル基板に組み込まれ、前記導電性ルーティングに取り付けられた、少なくとも１つのテキスタイル要素を更に備え、前記テキスタイル要素は、テキスタイルマザーボードで使用可能な周辺要素の一部として機能し、
前記導電性ルーティングに取り付けられ、少なくともテキスタイルを適合する手段から成り、テキスタイルマザーボードと周辺要素との間での接続および切断を可能にし、テクスタイルを適合する補完手段を示す、少なくとも１つの相互接続端子を更に備え、
前記少なくとも１つの導電性ルーティングは、テキスタイル垂直相互接続アクセス（ＶＩＡ）の手段によって、少なくとも１つのテキスタイル基板における導電層の別の部分に配置された別の導電性ルーティングに取り付けられることを特徴とするテキスタイル周辺要素。
【請求項１４】
前記テキスタイルマザーボードは、少なくとも２つの前記基板と、それぞれの前記基板において少なくとも１つの前記導電性ルーティングとで形成されており、前記導電性ルーティングの間の接続は前記テキスタイル垂直相互接続アクセス（ＶＩＡ）の手段によって達成されることを特徴とする請求項１３に記載のテキスタイル周辺要素。
【請求項１５】
前記基板または導電層の部分は、少なくとも１つの分離層によって分離されていることを特徴とする請求項１３または１４に記載のテキスタイル周辺要素。
【請求項１６】
少なくとも１つのテキスタイル、電気または光周辺要素のうちの１つは、中央処理ユニット（ＣＰＵ）を含むことを特徴とする請求項１３に記載のテキスタイル周辺要素。